(57)【要約】【課題】封筒本体に封緘用の折り返し片を接着剤および離型紙を設けることなく簡易迅速に封緘でき、かつ安価な簡易封筒の提供を目的とする。【解決手段】図１の表紙部２側より封緘片７を裏紙部３側に強制的に押し込むことにより封緘片７は裏紙部３の封緘片１０の切込溝９によって形成された裏紙部３の開口穴(扇形状の穴、すなわち前記封緘片７の押圧力により封緘片１０が裏紙部３の外側に連設部１１を介して折曲されることにより開口される)を介して裏紙部３の外側に突出される。そしてこの突出された封緘片７は、連設部１１を介して外側に折曲された封緘片１０と裏紙部３間に狭持され、裏紙部３の外側に突出した封緘片７の外周の係止縁７ａが封緘片１０により係止され、裏紙部３と封緘片１０間にて狭持状態下に保持される。【選択図】図１
2010195418.tif 000002
【特許請求の範囲】
【請求項１】
封筒本体の開口部における表裏両紙部に、切込溝による封緘片を連設して設け、一方の表紙部側の封緘片を他方の裏紙部の封緘片側に押し込みつつ、同封緘片に備える係止縁を裏紙部の封緘片の切込溝外周縁に係止するとともに同封緘片を裏紙部の封緘片にて狭持することにより封緘できるように構成したことを特徴とする簡易封筒。
【発明の詳細な説明】
【技術分野】
【０００１】
本発明は、簡易に封緘することの出来る簡易封筒に関するものである。
【背景技術】
【０００２】
封筒の封緘には、封筒本体の開口部に、予め突設された封緘片を糊付けするのが一般的である。
これに対して前記封緘片の糊付けの手間を簡易化する目的で、封緘片の糊付け部分に接着層を設け、これに剥離紙を添着した構成のものが市販されている。
例えば、特開２００８−１１０８１５号公報(特許文献１)の「折り返し片の内面には粘着剤が付設され、折り返し片で封筒の上端を閉じない状態のときは粘着剤は離型紙により覆われている」(同公報第３頁段落〔０００８〕第３１〜３４行参照)。
この折り返し片の離型紙を剥離した後、折り返し片を折曲し、粘着剤にて折り返し片を封筒本体の裏側のシート部に接着することにより封緘するものである。
【０００３】
また、前記封筒の封緘方法における、封緘時に離型紙等の廃棄物を生じないようにした簡易封筒が特開２００７−３０２３３４号公報(特許文献２)にて提案されている。
【０００４】
さらに、前記封緘片あるいは折り返し片を封緘に当たって封筒本体の裏側のシート部に折り返した後、ホチキス針にて止着する簡易封緘方法も使用されている。
【先行技術文献】
【特許文献】
【０００５】
【特許文献１】特開２００８−１１０８１５号公報
【特許文献２】特開２００７−３０２３３４号公報
【発明の概要】
【発明が解決しようとする課題】
【０００６】
解決しようとする問題点は、封緘の構成に必須不可欠の「折り返し片」あるいは「封緘片」と、これらを接着する「粘着剤」とさらにこの粘着剤の接着を防止する「離型紙」が要求されるとともに封緘時に離型紙の剥離および折り返し片の折り返し、接着の手間が要求される点である。
【０００７】
前記封緘部の構成は封筒の単価が高くなることに加えて、離型紙の廃棄物が発生する欠点を有するとともにホチキス針による簡易封緘方法には、ホチキス針の止着の手間と開封時にホチキス針の廃棄物の発生する欠点がある。
【課題を解決するための手段】
【０００８】
本発明は、封筒の封緘における前記欠点を解決するため、封筒本体の開口部における表裏両紙部に、切込溝による封緘片を連設して設け、一方の表紙部側の封緘片を他方の裏紙部の封緘片側に押し込みつつ、同封緘片に備える係止縁を裏紙部の封緘片の切込溝外周縁に係止するとともに同封緘片を裏紙部の封緘片にて狭持することにより封緘できるように構成したことを特徴とする。
【発明の効果】
【０００９】
本発明は、封緘の構成に必要不可欠であった封緘片(切り返し片)を設けず、封筒本体の開口部に封緘片を連設するための切り込み溝の加工のみの極めて簡易な加工作業にて製作することができ、簡易封筒を安価に提供することができるとともに手指による封緘片の押し込み作業のみにて簡易迅速に封緘でき、離型紙やホチキス針等の廃棄物の発生をも防止することができる。
【図面の簡単な説明】
【００１０】
【図１】封筒の表面図
【図２】封筒の裏面図
【図３】封緘部の表紙部側の拡大図
【図４】封緘部の裏紙部側の拡大図
【図５】封緘状体を示す表紙部側の拡大図
【図６】封緘状体を示す裏紙部側の拡大図
【図７】封筒の表面図(実施例２)
【図８】封筒の部分表面図(実施例３)
【図９】封筒の部分表面図(実施例３)
【発明を実施するための形態】
【００１１】
封筒の封緘部を封筒本体を形成する表紙部と裏紙部の開口部における対向位置に切込溝を介して表紙部側と裏紙部側の両封緘片をそれぞれ表紙部と裏紙部に連設しつつ設けて構成するすることにより簡易封筒の構成並びに製造の簡易化と封緘作業の簡易迅速化を実現するとともに簡易封筒の価格の低減を実現し、さらには離型紙やホチキス針等の廃棄物のない簡易封筒の提供を実現した。
【実施例１】
【００１２】
図１〜図６は、本発明の実施例１を示すもので図１は封筒の表面図、図２は同裏面図、図３は封緘部の表紙部側の拡大図、図４は同裏紙部側の拡大図、図５は封緘状体を示す表紙部側の拡大図、図６は同裏紙部側の拡大図である。
【００１３】
図１〜図６において、１は封筒Ａの本体でこの封筒本体１は、表紙部２と裏紙部３により形成する。
図１，図２に示すように長方形状の表紙部２および３にて形成し、封筒本体１の形成に当たっては図２に示す如く表紙部２の左右両側および底側の接着片２ａ〜２ｃを、当該表紙部２の裏側に重合してセットした後、裏紙部３の左右両側および底側に接着することにより、上側に開口部４を開口した袋状の封筒本体１を形成したものである。
【００１４】
前記封筒Ａの開口部４には、簡易封緘用の封緘部５を設けてある。
そしてこの封緘部５は、開口部４の表紙部２側の中央部に、切込溝６を切り込むことにより、表紙部２側の封緘片７を表紙部２との連設部８を介して連設する。(図１参照)
また、この封緘片７に対向して開口部４の裏紙部３側の中央部には、切込溝９を切り込むことにより、裏紙部３側の封緘片１０を裏紙部３との連設部１１を介して連設する。(図２参照)
【００１５】
前記封緘部５の封緘片７，１０の対向位置については図３，図４の実線と点線にてそれぞれ示す通りである。
そして、両封緘片７，１０の形成に当たっては、それぞれ表、裏紙部２，３の開口部４を形成する上側中央部に切込溝６，９を切り込むことにより形成する。
また、両封緘片７，１０は、後述するように一方の表紙部２側の封緘片７を裏紙部３の外側まで押し込みつつ、他方の裏紙部３側の封緘片１０により、狭持し得るように形成するために裏紙部３側の封緘片１０の外側外周に突出する係止縁７ａを表紙部２側の封緘片７の外周に突設することにより形成する。
従って、両封緘片７，１０の外形形状は異なるもので、製造に当たっては表紙部２および裏紙部３の裁断加工工程においてそれぞれの切込溝６，９を切込加工することが製造工程上有効である。
そして、一方の封緘片７は、横長方形状の切込溝６を表紙部２に対して連設部８を残して切り込むことにより形成するとともに他方の封緘片１０は扇形状の切込溝９を裏紙部３に対して連設部１１を残して切り込むことにより形成する。
従って、図３，図４に示す如く一方の横長方形状の封緘片７の外周縁は、他方の扇形状の封緘片１０の外周縁１０ａより外周に突出し、これが係止縁７ａを構成することになる。
【００１６】
前記両封緘片７，１０の形状上、当該実施例における寸法上の対比について説明すると、図１，図２に示す如く横長方形状の封緘片７の連設部８の長さＬ１、切込溝６の横の長さＬ２、縦の長さＬ３に対する扇形状の封緘片１０の連設部１１の長さｌ１と扇形部の半径の長さｌ２において「ｌ１＞Ｌ１、ｌ２＜Ｌ２、ｌ１＜Ｌ３」となるように設計形成されている。
【００１７】
尚、前記両封緘片７，１０の切込溝６，９の切込加工に当たっては、表・裏紙部２，３との連設部８，１１との切込端からの切断を防止するために、それぞれの切込端に丸穴の切込穴８ａ，８ｂ，１１ａ，１１ｂを設けてある。
また、１２は一方の封緘片６に表示したプレゼントマーク、１３は他方の封緘片１０に表示した封緘マーク(丸印)である。
さらに、１４は開口部４の開封を容易にする裏紙部３に設けた切欠部である。
【００１８】
以上のような構成からなる封筒Ａの封緘部５により封筒本体１の開口部４を封緘する場合、例えば手指にて封緘する場合には図１の表紙部２側より封緘片７を裏紙部３側に強制的に押し込むことにより完了する。
すなわち、封緘片７は裏紙部３の封緘片１０の切込溝９によって形成された裏紙部３の開口穴(扇形状の穴、すなわち前記封緘片７の押圧力により封緘片１０が裏紙部３の外側に連設部１１を介して折曲されることにより開口される)を介して裏紙部３の外側に突出される。(図５参照)
そしてこの裏紙部３側に突出された封緘片７は、連設部１１を介して外側に折曲された封緘片１０と裏紙部３間に狭持される。
すなわち裏紙部３の外側に突出した封緘片７の外周の係止縁７ａが封緘片１０により係止され、裏紙部３と封緘片１０間にて狭持状態下に保持される。(図６参照)
【００１９】
以上の状態により封筒Ａの封緘部５によって開口部４が封緘されることにより封筒Ａの封筒本体１内に投入された内容物が封筒Ａ外側に飛び出ることを防止することができるものである。
【００２０】
以上の実施例１の構成において封緘部５の構成上、一方の封緘片７を押し込み、その外周部を他方の封緘片１０にて係止しつつ封緘するものであるから、実施例１の如く外周が全周にわたって突出する構成とすることなく、例えば封緘片７の左右両側あるいは左右いずれか一方、または封緘片７の上側が他方の封緘片１０より突出する形状の構成による実施が可能であり、同様にして同様の作用効果が得られるならば一方の封緘片７を横長形状、他方の封緘片１０を扇形状に形成する以外の形状により実施することが可能である。
【実施例２】
【００２１】
図７は、実施例２を示す封筒Ｂに封緘部５０を設けた表面図である。
そして、この実施例２の封筒Ｂの封緘部５０は、実施例１の封緘部５の向きを横向きに形成した場合の実施例を示すものである。
従って、その他の構成は実施例１と同一の構成から成るものでその他の具体的な説明と図示は省略するとともに封緘方法についても実施例１と同様の方法により横向きの封緘部５０によって封緘できるので説明は省略する。
【実施例３】
【００２２】
図８は実施例３を示す封筒Ｃの一部を省略した封緘部５１，５２の部分図である。
すなわち、この実施例３の封筒Ｃは実施例１の長方形の封筒Ａに対してＡ４等の大きさの大きい封筒の場合の実施例であって、封筒Ｃの封筒本体１の開口部４に横方向に実施例１の封緘部５と同様の封緘部５１，５２を並置することにより構成したものである。
また、図９は図８の封緘部５１，５２を横方向に対向配置した実施例を示すものである。
その他の構成並びに各封緘部５１，５２の封緘方法は実施例１と同様であるので具体的な図示と説明は省略する。
【００２３】
以上の説明から明らかな如く、封筒の大きさに応じて封緘部の数を増すことにより容易に対応することが可能である。
尚、以上の実施例の封筒Ａ〜Ｃの形成材料を紙製とすることによりエコ作用を発揮することができる。
【産業上の利用可能性】
【００２４】
簡易封筒と同様にして包装する内容物によっては、封筒以外の同種の包装体の簡易封緘についての用途にも適用できる。
【符号の説明】
【００２５】
Ａ，Ｂ，Ｃ  封筒
１  封筒本体
２  表紙部
３  裏紙部
４  開口部
５  封緘部
６  切込溝
７  封緘片
７ａ  係止縁
８  連設部
９  切込溝
１０  封緘片
１０ａ  外周縁
１１  連設部
１２  プレゼントマーク
１３  封緘マーク
１４  切欠部
５０，５１，５２  封緘部
【図１】
2010195418.tif 000003
【図２】
2010195418.tif 000004
【図３】
2010195418.tif 000005
【図４】
2010195418.tif 000006
【図５】
2010195418.tif 000007
【図６】
2010195418.tif 000008
【図７】
2010195418.tif 000009
【図８】
2010195418.tif 000010
【図９】
2010195418.tif 000011